(57)【要約】【課題】飲料水や井戸水の水質検査は、依頼者が検査機関（保健所や水質検査企業）に出向いて試料採水容器を受け取り、採水後、検査機関に持ち込んでいる。検査結果は依頼者が検査機関に出向いて受理するか郵送してもらうかを選択するが、依頼者は結果を得るのに長時間を要し、非常に煩わしい思いをしている。【解決手段】箱と蓋とよりなる発泡スチロール製外装箱内にポリ製の採水容器、ポリ製の滅菌採水容器、ウレタン緩衝材、採水方法説明書、宅配便返信用送付書、飲料水水質検査依頼書を収容してなる飲料水簡易水質検査キットとした。【選択図】図１
2010203832.tif 000002
【特許請求の範囲】
【請求項１】
箱と蓋とよりなる発泡スチロール製外装箱内にポリ製の採水容器、ポリ製の滅菌採水容器、ウレタン緩衝材、採水方法説明書、宅配便返送用送付書を収容してなる飲料水簡易水質検査キット。
【請求項２】
水質検査を希望する者がドラッグストアーやホームセンターの店頭にて飲料水簡易水質検査キットを購入し、採水方法説明書に沿って水質検査キットに採水し、着払いで冷蔵の宅配便により水質検査者に発送し、送られた水質検査者は送り届けられた試料水の水質検査を行った後、検査結果は速報として電子メールで送付し、正式な水質検査証明書は水質検査者による捺印後、郵送若しくは宅配のメール便で送付するようにした飲料水簡易水質検査システム。
【発明の詳細な説明】
【技術分野】
【０００１】
本発明は、飲料水簡易水質検査キットとその飲料水簡易水質検査システムに関するものである。
【背景技術】
【０００２】
飲料水や井戸水の水質検査には、取り扱い易い試料採水容器がなく、また、簡単で迅速にその水質を検査するシステムがない。
【先行技術文献】
【特許文献】
【０００３】
【特許文献１】特開平１０−２８８６１２号公報
【発明の概要】
【発明が解決しようとする課題】
【０００４】
飲料水や井戸水の水質検査は、依頼者が検査機関（保健所や水質検査企業）に出向いて
試料採水容器を受け取り、採水後、検査機関に持ち込んでいる。
【０００５】
検査結果は、依頼者が検査機関に出向いて受理するか郵送してもらうかを選択するが、依頼者は結果を得るのに長時間を要し、非常に煩わしい思いをしている。
【課題を解決するための手段】
【０００６】
飲料水や井戸水の水質検査の為の、取り扱い易い試料採水容器を提供すべく、箱と蓋とよりなる発泡スチロール製外装箱内にポリ製の採水容器、ポリ製の滅菌採水容器、ウレタン緩衝材、採水方法説明書・宅配便返送用送付書・飲料水水質検査依頼書を収容してなる飲料水簡易水質検査キットとした。
【０００７】
本発明の飲料水簡易水質検査システムでは、厚生労働省令水道水質基準に関する省令に基づく検査方法による一般細菌，大腸菌，硝酸態窒素及び亜硝酸態窒素，塩化物イオン，有機物（全有機炭素（ＴＯＣ）の量），ｐＨ値，味，臭気，色度，濁度の１０項目を検査するのに加えて、水の硬度，Ｃａ2+（カルシウムイオン），Ｍｇ2+（マグネシウムイオン）の３項目を追加し全１３項目の検査を行うものであり、今日話題に挙げられている硬度、ミネラル成分であるＣａ2+（カルシウムイオン），Ｍｇ2+（マグネシウムイオン）の検査をすることにより、安全面に加えて水の性状も同時に評価している。
【０００８】
また、依頼者が検査機関に出向いて試料採水容器を受け取りに行く手間を省き、検査試料を採水した容器を検査機関に持ち込む等の手配の煩わしさを無くし、且つ、検査結果を得るのに短時間で行えるようにすべく、水質検査を希望する者がドラッグストアーやホームセンターの店頭にて水質検査キットを購入し、採水方法説明書に沿って水質検査キットに採水し、着払いで冷蔵の宅配便により水質検査者に発送し、送られた水質検査者は送り届けられた試料水の水質検査を行った後、検査結果は速報として電子メールで送付し、正式な水質検査証明書は水質検査者による捺印後、郵送若しくは宅配のメール便で送付するようにした飲料水簡易水質検査システムとした。
【０００９】
本発明の飲料水簡易水質検査システムでは、厚生労働省令水道水質基準に関する省令に基づく検査方法による一般細菌，大腸菌，硝酸態窒素及び亜硝酸態窒素，塩化物イオン，有機物（全有機炭素（ＴＯＣ）の量），ｐＨ値，味，臭気，色度，濁度の１０項目を検査するのに加えて、水の硬度，Ｃａ2+（カルシウムイオン），Ｍｇ2+（マグネシウムイオン）の３項目を追加し全１３項目の検査を行うものであり、今日話題に挙げられている硬度、ミネラル成分であるＣａ2+（カルシウムイオン），Ｍｇ2+（マグネシウムイオン）の検査をすることにより、安全面に加えて水の性状も同時に評価している。
【発明の効果】
【００１０】
本発明は、箱と蓋とよりなる発泡スチロール製外装箱内にポリ製の採水容器、ポリ製の滅菌採水容器、ウレタン緩衝材、採水方法説明書・宅配便返送用送付書・飲料水水質検査依頼書を収容してなる飲料水簡易水質検査キットとしたので、飲料水や井戸水の水質検査の為の取り扱い易い試料採水容器を提供することが出来る。
【００１１】
本発明の飲料水簡易水質検査システムでは、厚生労働省令水道水質基準に関する省令に基づく検査方法による一般細菌，大腸菌，硝酸態窒素及び亜硝酸態窒素，塩化物イオン，有機物（全有機炭素（ＴＯＣ）の量），ｐＨ値，味，臭気，色度，濁度の１０項目を検査するのに加えて、水の硬度，Ｃａ2+（カルシウムイオン），Ｍｇ2+（マグネシウムイオン）の３項目を追加し全１３項目の検査を行うものであり、今日話題に挙げられている硬度、ミネラル成分であるＣａ2+（カルシウムイオン），Ｍｇ2+（マグネシウムイオン）の検査をすることにより、安全面に加えて水の性状も同時に評価している。
【００１２】
また、水質検査を希望する者がドラッグストアーやホームセンターの店頭にて飲料水簡易水質検査キットを購入し、採水方法説明書に沿って水質検査キットに採水し、着払いで冷蔵の宅配便により水質検査者に発送し、送られた水質検査者は送り届けられた試料水の水質検査を行った後、検査結果は速報として電子メールで送付し、正式な水質検査証明書は水質検査者による捺印後、郵送若しくは宅配のメール便で送付するようにした飲料水簡易水質検査システムとしたので、依頼者が検査機関に出向いて試料採水容器を受け取りに行く手間を省き、検査試料を採水した容器を検査機関に持ち込む等の手配の煩わしさを無くし、且つ、検査結果を得るのに短時間で行えるようになる。
【００１３】
本発明の飲料水簡易水質検査システムでは、厚生労働省令水道水質基準に関する省令に基づく検査方法による一般細菌，大腸菌，硝酸態窒素及び亜硝酸態窒素，塩化物イオン，有機物（全有機炭素（ＴＯＣ）の量），ｐＨ値，味，臭気，色度，濁度の１０項目を検査するのに加えて、水の硬度，Ｃａ2+（カルシウムイオン），Ｍｇ2+（マグネシウムイオン）の３項目を追加し全１３項目の検査を行うものであり、今日話題に挙げられている硬度、ミネラル成分であるＣａ2+（カルシウムイオン），Ｍｇ2+（マグネシウムイオン）の検査をすることにより、安全面に加えて水の性状も同時に評価している。
【図面の簡単な説明】
【００１４】
【図１】飲料水簡易水質検査キットの分解斜視図である。
【図２】発泡スチロール外装箱の斜視図である。
【図３】発泡スチロール外装箱の平面図である。
【発明を実施するための形態】
【００１５】
図１は飲料水簡易水質検査キットの分解斜視図、図２は発泡スチロール外装箱の斜視図、図３は発泡スチロール外装箱の平面図である。
【００１６】
飲料水簡易水質検査キット１は、箱２と蓋３とよりなる発泡スチロール製外装箱４内にポリ製の採水容器５、ポリ製の滅菌採水容器６、ウレタン緩衝材７、採水方法説明書、宅配便返送用送付書、飲料水水質検査依頼書（図示せず）が収容されている。
【００１７】
発泡スチロール製外装箱４は、気泡を含ませて成形したポリスチレンで、ポリスチレンは断熱材・保護材である。
【００１８】
蓋３の内面の周溝１１は、箱２の上面の外周より内側に形成した凸壁１２と嵌合するように形成してある。
【００１９】
蓋３の厚さは２５ｍｍで、発泡スチロール製外装箱４の全体の大きさは、図２に示すように、縦２６０ｍｍ×横１９０ｍｍ×高さ１６５ｍｍである。発泡スチロール製外装箱４の箱２と蓋３は、図示しないが、ボール紙製の縦２７０ｍｍ×横１９５ｍｍ×高さ１７０ｍｍの外装スリーブに収容する。
【００２０】
ポリ製の採水容器５は容量１Ｌのもの１本で、ポリ製の滅菌採水容器６は容量２０ｍｌ
のもの１本で、ウレタン製緩衝材７は中実で、図３に示すように箱２内に収容し、蓋３で閉蓋した際、緩衝できる適宜大きさに形成してある。
【００２１】
上記の飲料水簡易水質検査キット１は、至極取り扱いが容易である。
【００２２】
上記の飲料水簡易水質検査キット１を、ドラッグストアー、ホームセンター等の店頭で購入する。
【００２３】
購入した検査依頼者は採水した後、水質検査キット１を宅配便にて水質検査者に送付し、水質検査者は分析室での水質検査後、検査結果を速報として検査依頼者に電子メールで送付し、また正式な水質検査証明書は水質検査者による捺印後、郵送または宅配のメール便で送付するようにした飲料水簡易水質検査システムである。
【００２４】
本発明の飲料水簡易水質検査システムでは、厚生労働省令水道水質基準に関する省令に基づく検査方法による一般細菌，大腸菌，硝酸態窒素及び亜硝酸態窒素，塩化物イオン，有機物（全有機炭素（ＴＯＣ）の量），ｐＨ値，味，臭気，色度，濁度の１０項目を検査するのに加えて、水の硬度，Ｃａ2+（カルシウムイオン），Ｍｇ2+（マグネシウムイオン）の３項目を追加し全１３項目の検査を行うものであり、今日話題に挙げられている硬度、ミネラル成分であるＣａ2+（カルシウムイオン），Ｍｇ2+（マグネシウムイオン）の検査をすることにより、安全面に加えて水の性状も同時に評価している。
【実施例】
【００２５】
水質検査システムの流れを以下に示す。
【００２６】
１．ドラッグストアー・ホームセンター等の店頭で、例えば自宅にある井戸水が飲料        水として適するかどうか検査したい人が、水質検査キット１を購入する。
【００２７】
２．水質検査キット１を購入した検査依頼者は、採水方法説明書に沿ってポリ製採水        容器に採水する。
【００２８】
３．検査依頼者は、水質検査キット１に収容されている着払いで冷蔵の宅配便送付書        を使って水質検査者宛てに採水した試料水を送付する。その際、検査結果を速報        として受け取ることのできるメールアドレスを水質検査依頼書に記載しておく。
【００２９】
４．水質検査者は、送り届けられた試料水の水質検査を最短２日で行う。
【００３０】
５．水質検査者は、検査結果を水質検査依頼書に記載されたメールアドレス宛に速報        として送信する。
【００３１】
６．その後、正式な水質検査証明書は、水質検査者による捺印後、郵送又は宅配便の        メール便で送付する。
【００３２】
なお、ドラッグストアー・ホームセンター等の店頭で販売の際、水質検査キット１の価格には、宅配便発送費用・水質検査費用・水質検査証明書発行費用の全てを含むよう設定してある。
【００３３】
本発明の飲料水簡易水質検査システムによると、検査依頼者は試料採取容器を保健所や検査企業に出向いて受け取る必要はなく簡単に手に入れることができ、検査試料を採水した容器を宅配業者が集荷しに来るので発送する手間が省け、また検査結果の速報が直接検査依頼者のメールアドレスに送信され、宅配のメール便で正式な水質検査証明書を受け取ることができるので、短時間で結果を手にすることができるシステムである。
【００３４】
本発明の飲料水簡易水質検査システムでは、厚生労働省令水道水質基準に関する省令に基づく検査方法による一般細菌，大腸菌，硝酸態窒素及び亜硝酸態窒素，塩化物イオン，有機物（全有機炭素（ＴＯＣ）の量），ｐＨ値，味，臭気，色度，濁度の１０項目を検査するのに加えて、水の硬度，Ｃａ2+（カルシウムイオン），Ｍｇ2+（マグネシウムイオン）の３項目を追加し全１３項目の検査を行うものであり、今日話題に挙げられている硬度、ミネラル成分であるＣａ2+（カルシウムイオン），Ｍｇ2+（マグネシウムイオン）の検査をすることにより、安全面に加えて水の性状も同時に評価している。
【図１】
2010203832.tif 000003
【図２】
2010203832.tif 000004
【図３】
2010203832.tif 000005